(57)【要約】【課題】本発明は、ランプ等の光学部品の切換動作時に不測の事態がおきても使用する光学部品に優先順位を持たせ、位置検出素子がＯＮされていない場合でも、あらかじめ定められた光学部品を使用するように切り替わることにより、不測の事態に対応することができ、確実にランプ等の光学部品を点灯させることができる光源装置を提供することを最も主要な特徴とする。【解決手段】２つのランプ４１ａ，４１ｂと、ランプ取付部材１３とを、モータ２６を動力として移動可能なランプ切替え機構９を有し、２つのランプ４１ａ，４１ｂのうち位置検出素子３９ａ，３９ｂの一方により認識されたいずれか一方のランプ４１ａまたは４１ｂを使用する機能を備えた光源装置において、位置検出素子３９ａ，３９ｂによる認識に失敗した場合は、あらかじめ定められた優先順位の高い第１のランプ４１ａを使用するようにランプ切替え機構９のモータ２６を動作させる制御基板６６を設けたものである。【選択図】図６
2006289108.tif 000002
【特許請求の範囲】
【請求項１】
複数の光学部品と、前記光学部品を設置した光学部品取付部材とを、アクチュエータを動力として移動可能な移動機構を有し、前記複数の光学部品のうち位置検出素子により認識された光学部品を使用する機能を備えた光源装置において、
前記位置検出素子による認識に失敗した場合は、あらかじめ定められた光学部品を使用するように前記移動機構を動作させる制御手段を設けたことを特徴とする光源装置。
【請求項２】
前記移動機構は、ボールねじと、それと螺合し前記光学部品取付部材に動力を伝達する動力伝達部材を備えた直動機構をなすことを特徴とする請求項１に記載の光源装置。
【請求項３】
前記光学部品取付部材は、前記設定位置に移動された状態で、弾性エネルギーを蓄えている弾性部材によって前記光学部品取付部材の位置を保持する保持機構が設けられていることを特徴とする請求項１に記載の光源装置。
【発明の詳細な説明】
【技術分野】
【０００１】
本発明は、例えば内視鏡の照明光を供給する光源装置に関する。
【背景技術】
【０００２】
一般に、医療分野において、体腔内に細長の挿入部を挿入することにより、体腔内の臓器を観察したり、必要に応じて処置具チャンネル内に挿入した処置具を用いて、各種治療や処置のできる内視鏡が広く用いられている。また、工業分野においても、ボイラー、タービン、エンジン、化学プラントなどの内部の傷や腐蝕を観察したり、検査することのできる工業用内視鏡が広く利用されている。そして、これらの内視鏡を用いて検査・観察を行う際には、内視鏡の他に周辺装置として制御装置、光源装置、モニタなどが必要である。
【０００３】
また、内視鏡は、照明光伝送手段としてファイババンドルからなるライトガイドを有し、照明光を供給する光源装置にこのライトガイドを接続して用いられる。この光源装置は照明手段として、キセノンランプ、メタルハライドランプおよびハロゲンランプが主に用いられている。そして、これらランプの光をレンズで集光し、また用途に応じたフィルターを介して内視鏡のライトガイドに供給するようになっている。
【０００４】
ところで、ランプが使用中に切れてしまうと内視鏡の観察や処置を継続することが不可能となり、またレンズおよびフィルターは目的に応じて異なり、目的に応じたものでないと、十分な観察ができない。その為、従来の光源装置では、１台の光源装置内に複数のランプやレンズを搭載し、自動あるいは半自動でランプやレンズを切り替える構造が一般的である。その機構は、次の構成のものが従来から知られている。
【０００５】
（従来技術１）特許文献１および特許文献２に示されているように、ランプやレンズを組み込んだ光学部品ユニットをボールネジによる直動で移動させ、マイクロスイッチの信号を検出してモータを停止させることでランプやレンズを切り替える構成になっている。
【０００６】
（従来技術２）特許文献３および特許文献４に示されているように、回転板に複数のランプを搭載し、モータにより回転板を回転させることでランプを切り替える構成になっている。
【０００７】
このようにランプやレンズを切り替えることで、内視鏡観察や、処置を継続することが可能であり、完了した後、例えば点灯しなくなったランプは交換することになる。
【０００８】
また、メタルハライドランプやハロゲンランプには反射鏡と一体になったものがある。これらのランプの取付構造には、次の構成のものが従来から知られている。
【０００９】
（従来技術３）図２５に示されているように、ランプ取付け部材ａに複数のランプ保持部ｂが配設され、各ランプ保持部ｂに２つ１組の弾性部材ｃでランプｄを押え込む構成になっている。この場合には一動作でランプｄを各ランプ保持部ｂに取り付けることが可能である。
【００１０】
また、ランプ交換後、再度、内視鏡の観察や処置を行う為、筐体に電源を供給すると何れかのランプが点灯する。このとき点灯するランプを制御する技術として次の構成のものが従来から知られている。
【００１１】
（従来技術４）特許文献５に示されているように、前回使用していたランプを記憶部に記憶させ、そのランプを点灯させる構成にしたもの。
【００１２】
（従来技術５）マイクロスイッチなど位置検出素子の信号を読みとり、その信号に対応したランプを点灯させる構成にしたもの。
【００１３】
また、ランプ光の一部は内視鏡のライトガイドに入射されずに、光源装置の正面パネルに投影される。その結果、光源装置の正面パネルの内視鏡接続部周辺部が光り、美観が損なわれてしまう。この現象を回避する為の従来の技術としては、次の構成のものが知られている。
【００１４】
（従来技術６）正面パネルの裏側を黒く塗装する方法がとられている。
【００１５】
また、観察の途中で内視鏡の対物レンズに汚れが付着し、視界が確保できないことがある。ここで、光源装置には内視鏡の対物レンズの洗浄の為に、送気・送水用ポンプが搭載されている。そして、光源装置の正面パネルに設けられたコントロールパネルを操作して、送気・送水用ポンプのＯＮ／ＯＦＦあるいは強弱が制御される。
【００１６】
さらに、内視鏡の対物レンズと対象物との間の距離によって照明光の光量の過不足が起こるが、光源装置には絞り機構が設けられており、コントロールパネルを操作することで、照明光の光量を調整できるようにもなっている。このような操作を実現する為に、光源装置には電気回路が搭載されている。そして、一般的には、次の構成のものが従来から知られている。
【００１７】
（従来技術７）ランプの点灯回路等、大電流を要するものとそうでないものが同じ基板上に配置されている。
【特許文献１】実開昭６３−２６８３５号公報
【特許文献２】特開平３−２６７９０８号公報
【特許文献３】特開平９−１０１７４号公報
【特許文献４】実公昭５３−１５３１７号公報
【特許文献５】特許第２６６５７４３号公報
【発明の開示】
【発明が解決しようとする課題】
【００１８】
まず、従来技術１では、ボールネジのバックラッシュによりランプが適正位置よりずれてしまう可能性がある。また、構造上、マイクロスイッチは移動台が固定ブロックに突き当たる前にＯＮするので、実際にランプが適正位置にセットされているかどうか正確には認識できない。そのため、ランプが適正位置にセットされていない場合があり、このような場合には十分な光量を内視鏡に供給できない可能性がある。また、移動部がボールネジとの螺合部でボールネジに食い込み、動作できなくなる場合もある。
【００１９】
また、従来技術２では、直流モータが保持機能を有しない為に、装置を移動する際の振動などにより、ランプが適正位置よりずれてしまう場合がある。この場合には、適切な照明光を内視鏡に供給できない可能性がある。さらに、回転板を回転させるモータとしてステッピングモータを使用している為、高価になってしまう問題がある。
【００２０】
また、従来技術３では、ランプ反射鏡の開口部端面に設けてある突起が、ランプを取り付ける板金に干渉して割れないようにしながらランプを取り付ける必要がある為、取付動作が煩雑になる。そのため、ランプの着脱作業が面倒なものとなる問題がある。
【００２１】
また、従来技術４では、記憶部が前回使用していたランプのデータを記憶するのに失敗した場合、再び筐体に電源を供給してもランプを点灯することができない問題がある。
【００２２】
また、従来技術５では、点灯するランプが切り替わる際、どのマイクロスイッチもＯＮされていない状態が存在する。そのため、その状態で光源装置の筐体の電源を遮断し、再投入してもランプを点灯することができない問題がある。
【００２３】
また、従来技術６では、正面パネルの裏側を黒く塗装する際、パネル正面およびネジ部等、塗装禁止部分をマスキングする必要がある。そのため、コスト高になる問題がある。
【００２４】
また、従来技術７では、大電流を要する回路はノイズを発生しやすく、また電流をそれほど必要としない回路はノイズの影響を受けやすい。その両者が同じ基板上に存在する為に、ノイズ対策を施す必要があり、コスト高となる問題がある。
【００２５】
本発明は上記事情に着目してなされたもので、ランプ等の光学部品の切換動作時に不測の事態がおきても使用する光学部品に優先順位を持たせ、位置検出素子がＯＮされていない場合でも、あらかじめ定められた光学部品を使用するように切り替わることにより、不測の事態に対応することができ、確実にランプ等の光学部品を点灯させることができる光源装置を提供することにある。
【課題を解決するための手段】
【００２６】
請求項１の発明は、複数の光学部品と、前記光学部品を設置した光学部品取付部材とを、アクチュエータを動力として移動可能な移動機構を有し、前記複数の光学部品のうち位置検出素子により認識された光学部品を使用する機能を備えた光源装置において、前記位置検出素子による認識に失敗した場合は、あらかじめ定められた光学部品を使用するように前記移動機構を動作させる制御手段を設けたことを特徴とする光源装置である。
【００２７】
請求項２の発明は、前記移動機構は、ボールねじと、それと螺合し前記光学部品取付部材に動力を伝達する動力伝達部材を備えた直動機構をなすことを特徴とする請求項１に記載の光源装置である。
【００２８】
請求項３の発明は、前記光学部品取付部材は、前記設定位置に移動された状態で、弾性エネルギーを蓄えている弾性部材によって前記光学部品取付部材の位置を保持する保持機構が設けられていることを特徴とする請求項１に記載の光源装置である。
【００２９】
そして、本発明では、使用するランプ等の部品に優先順位を持たせ、位置検出素子がＯＮされていない場合でも、あらかじめ定められた部品を使用するように切り替わることにより、不測の事態に対応できるようにしたものである。
【発明の効果】
【００３０】
本発明によれば、使用するランプ等の部品に優先順位を持たせ、位置検出素子がＯＮされていない場合でも、あらかじめ定められた部品を使用するように切り替わることにより、不測の事態に対応することが可能である。
【発明を実施するための最良の形態】
【００３１】
以下、本発明の第１の実施の形態を図１乃至図１３（Ａ）〜（Ｃ）を参照して説明する。図１は本実施の形態の光源装置１を組み込んだ内視鏡システム全体の概略構成を示すものである。図１中で、２は内視鏡、３は例えばカメラコントロールユニット（ＣＣＵ）などの周辺装置である。この内視鏡システムは、光源装置１と、内視鏡２と、周辺装置３と、内視鏡２および光源装置１からの信号を周辺装置３に伝送する信号伝送ケーブル４より構成されている。
【００３２】
また、図２および図３は本実施の形態の光源装置１の内部構成を示すもので、５は光源装置１のシャーシ、６はカバー、７は正面パネル、８はリアパネルである。そして、これらの光源装置１のシャーシ５、カバー６、正面パネル７、リアパネル８によって光源装置１のケース（筐体）が形成されている。
【００３３】
さらに、光源装置１の内部には図４に示すランプ切替え機構９が組み込まれている。このランプ切替え機構９の移動部は、側面が略Ｚ字形状を成すベース１１に固定されたスライドレール１２と、ランプ取付部材（光学部品取付部材）１３と、固定部材１６と、２つの弾性部材１７ａ，１７ｂと、移動台１８と、２つの移動台支持部材２１とで構成されている。そして、ベース１１にスライドレール１２を介してランプ取付部材１３が取り付けられている。
【００３４】
また、ベース１１にはランプ取付部材１３の移動方向と平行に端面を曲げ起こした２つの位置決め部１４ａ，１４ｂが形成されている。ランプ取付部材１３の底面には上方に雄ネジ１５が突出されている。ここで、メッキ処理された固定部材１６には雄ネジ１５に対応する個所に略Ｕ字状の切り欠きがそれぞれ設けられている。そして、これらのＵ字状の切り欠きから突出される雄ネジ１５に螺着されて固定されるナットによって固定部材１６がランプ取付部材１３の底面に締結されている。なお、ランプ取付部材１３と固定部材１６は一部品で構成されていてもよい。
【００３５】
また、固定部材１６は略Ｕ字形状に形成されている。そして、この固定部材１６のＵ字形状の一方の側面には２つの移動台支持部材２１に対応した２つの挿通穴２２が設けられている。さらに、この固定部材１６のＵ字形状の他方の側面には２つの挿通穴２２と離間対向する位置に雌ネジ２３が設けられている。
【００３６】
また、移動台支持部材２１の一端には固定部材１６の雌ネジ２３に対応した雄ネジ２１ａが設けられている。そして、これらを締結することにより、２つの移動台支持部材２１が固定部材１６に平行に配置された状態で取り付けられている。なお、移動台支持部材２１は両端に止め輪を組付けることで、固定部材１６に固定されていてもよい。
【００３７】
また、固定部材１６のＵ字形状の間には２つの移動台支持部材２１に沿って移動する図１０（Ａ），（Ｂ）に示す移動台１８が配置されている。この移動台１８には図１０（Ｂ）に示すように穴部１９と略すり鉢状の切り欠き部２０とが設けられている。そして、２つの移動台支持部材２１はこの移動台１８の穴部１９と略すり鉢状の切り欠き部２０とに通され、移動台１８は２つの移動台支持部材２１に沿って移動可能に支持されている。この時、移動台支持部材２１は、移動台１８の穴部１９と線もしくは両端の２点で支持され、移動台支持部材２１は略すり鉢状の切り欠き部２０に１点で支持されている。
【００３８】
また、一方の移動台支持部材２１には図６に示すように移動台１８の両側にコイルばね状の弾性部材１７ａ，１７ｂがそれぞれ配置されている。そして、固定部材１６のＵ字形状の間にこれらの弾性部材１７ａ，１７ｂを介して移動台１８を挟み、移動部が移動する際に生じる摩擦抵抗等の諸々の力より大きな反力を生じる長さまで圧縮された状態で置かれるようになっている。
【００３９】
また、ランプ切替え機構９の動力部は、モータ２６と、モータ取付部材２５と、継手２８と、ボールネジ２９と、軸受け３１と、軸受け取付部材３０と、動力伝達部材３５とで構成されている。ここで、図４に示すように略Ｌ字形状のモータ取付部材２５に締結されているモータ２６の軸２７は継手２８を介してボールネジ２９と連結されている。
【００４０】
また、ボールネジ２９の他端は、略コの字形状をした軸受け取付部材３０に圧入された軸受け３１に挿入されている。さらに、軸受け３１は止め輪３２とナット３３で挟み込んで固定されている。
【００４１】
また、ボールネジ２９には、図４に示すように突起３４を持ったリング状の動力伝達部材３５が螺合されている。なお、図１０（Ｂ）に示すように、移動台１８の内部空間には動力伝達部材３５の突起３４に対応する突起部３６が設けられている。さらに、移動台１８の側面にはＵ字状の切り欠き部３７が形成されている。そして、ランプ切替え機構９の動力部は、移動台１８に設けられた空間に動力伝達部材３５が入り込む状態に設置され、モータ取付部材２５と軸受け取付部材３０とがベース１１と締結されている。
【００４２】
また、移動台１８の下部には上矢視が略台形の台形形状部３８が設けられている。さらに、ベース１１の上には移動台１８の台形形状部３８に接離可能に当接して移動台１８の位置を検出する２つの位置検出素子３９ａ，３９ｂが固定されている。これらの位置検出素子３９ａ，３９ｂはランプ取付部材１３の端面４０ａ，４０ｂが、ベース１１の位置決め部１４ａ，１４ｂに突き当たる前にはＯＮされない位置に配置されている。
【００４３】
また、図７および図８に示すように、予備ランプを含めた複数、本実施の形態では２つのランプ４１ａ，４１ｂが、弾性体である１組のランプ固定部材４２により着脱可能に固定されている。また、図９に示すように、各ランプ４１ａ，４１ｂの反射鏡開口部端面には突起部４３が設けられている。さらに、ランプ取付部材１３の上部には、各ランプ４１ａ，４１ｂの反射鏡の突起部４３より幅および飛び出し量が大きな係合凹部４４が、ランプ光が出射される方向に形成されている。
【００４４】
一方、図５および図７に示すように、ランプ取付部材１３の前面には、光軸上にフィルター４５と、レンズ４６と、絞り４７と、内視鏡取付コネクター４８とが順次配置されている。板金４９を介して正面パネル７が固定されている。板金４９には内視鏡取付コネクター４８の外形より大きな穴が設けられ、正面パネル７には内視鏡取付コネクター４８に対応する部分に遮光板５０が固定されている。
【００４５】
また、正面パネル７には図示しない操作スイッチが設けられており、これらのケーブルは低電力な回路で構成された制御基板６６に接続されている。この制御基板６６にはモータ２６および位置検出素子３９ａ，３９ｂも接続され、ランプ取付部材１３の移動を制御している。また、その移動方向に対しては優先順位を持っている。
【００４６】
また、図８に示すように、ランプ切替え機構９の動力部と位置検出素子３９ａ，３９ｂとはベース１１と締結されたケース５２に覆われている。そして、ランプケーブル５３は各々のランプ４１ａ，４１ｂの移動範囲の中心線上でケース５２に固定されている。さらに、ランプケーブル５３の他端はランプ点灯切換回路を備えた図２に示す電源６５に接続されている。この電源６５にはランプ４１ａ，４１ｂの断線状態を検知するための信号を低電力で発生する回路が設けられており、その信号ケーブルは制御基板６６に接続されている。
【００４７】
また、本実施の形態の光源装置１ではランプ４１ａ，４１ｂは前述したランプ切替え機構９を介してシャーシ５に設置されている。さらに、図３に示すようにランプ４１ａ，４１ｂの上方には内視鏡取付コネクター４８に照明光を供給する開口窓を設けた断面形状が略Ｌ字形状のランプカバー７３が配設されている。このランプカバー７３の下端部はシャーシ５に固定部材を介して固定されている。そして、ランプカバー７３の他端部は略Ｕ字状でＵ字の開口部を下方に向けた形でシャーシ５に固定した排気ダクト７２に接続されている。
【００４８】
さらに、ランプカバー７３の側方にはファン７０ａがランプカバー７３に近接する形で配置されている。なお、シャーシ５のファン７０ａの近傍部には吸気口６９が形成されている。
【００４９】
また、排気ダクト７２の他端部はリアパネル８の近傍に位置し、排気ダクト７２とリアパネル８との間にファン７０ｂが排気ダクト７２とリアパネル８に挟まれる形で配置されている。さらに、リアパネル８にはファン７０ｂ付近に図示していないスリット状の排気口が形成されている。
【００５０】
また、光源装置１のカバー６のランプ４１ａ，４１ｂの側方部にはランプ４１ａ，４１ｂより十分大きな開口が設けてある。その開口部には図１１に示すようにランプ交換扉７４がカバー６に対して開閉自在に取付けられている。
【００５１】
また、図１２に示すように光源装置１のカバー６とランプ交換扉７４との間の隙間Ｓとランプ４１ａ，４１ｂとの間を結ぶ仮想線７１ａと仮想線７１ｂに挟まれる仮想空間６８には、この仮想空間６８より十分に大きな隙間部遮光板７５が配置されている。
【００５２】
さらに、光源装置１の内部のその他のユニットとして内視鏡２に送気を行うためのポンプユニット６７、スイッチング電源６５、スイッチング電源冷却用ファン７０ｃ、制御基板６６等より構成されている。
【００５３】
次に、上記構成の作用について説明する。本実施の形態の光源装置１ではランプ切替え機構９が図１３（Ａ）の状態で、第１のランプ４１ａが光軸上にあり点灯している。この状態で第１のランプ４１ａが切れて点灯しなくなると、それを制御基板６６が検知し、ランプ取付部材１３が図１３（Ａ）中で矢印Ａの方向に移動するようにモータ２６を制御基板６６が動作させる。
【００５４】
このとき、最初、ボールネジ２９と共に動力伝達部材３５だけが回転する。そして、図１０（Ｂ）に示すように動力伝達部材３５の突起３４が移動台１８の突起部３６に高速で突き当たる。その後、動力伝達部材３５が移動台１８に力を伝達し、移動台１８だけが移動する。
【００５５】
この時、図１３（Ａ）中で右側の第１の弾性部材１７ａは弾性エネルギーを放出し、他方の第２の弾性部材１７ｂは蓄積する方向にある。そして、第２の弾性部材１７ｂの復元力が、ランプ取付部材１３を移動させるために必要な力より大きくなると、モータ２６の回転力は固定部材１６からランプ取付部材１３、スライドレール１２へと伝わり、スライドレール１２が動作することでランプ取付部材１３が矢印Ａの方向に移動を始める。
【００５６】
その後、図１３（Ｂ）に示すようにベース１１の第２の位置決め部１４ｂにランプ取付部材１３の左側の端面４０ｂが突き当たると、ランプ取付部材１３は移動を停止する。この時、第２のランプ４１ｂが光軸上にあり、また第２の位置検出素子３９ｂはＯＦＦのまま保持される。
【００５７】
さらに、この後も続いて矢印Ａの方向に移動台１８が第２の弾性部材１７ｂを圧縮しながら移動する。そして、図１３（Ｃ）に示すように第２の位置検出素子３９ｂが移動台１８の台形形状部３８によりＯＮされる。そして、第２の位置検出素子３９ｂの信号は制御基板６６に送られ、制御基板６６はモータ２６を停止させる。このとき、慣性力を含めモータ２６が完全に停止するまでの間、移動台１８は第２の弾性部材１７ｂを圧縮しながら、移動し続ける。なお、第２の弾性部材１７ｂは圧縮しきらない程度の自由長さを有している。さらに、モータ２６は第２の弾性部材１７ｂを圧縮するだけのトルクを有したものが選定されている。
【００５８】
また、ランプ取付部材１３の移動が完了すると、電源６５は制御基板６６の命令に基づき、光軸上にあるランプ（この場合は第２のランプ４１ｂ）のみに電力を供給する。このとき、第２のランプ４１ｂから発せられる光はフィルター４５、レンズ４６を介して、内視鏡取付コネクター４８に接続された内視鏡２に照射され、体腔内に送りこまれる。一方、第２のランプ４１ｂから発せられる光の一部で内視鏡２に照射されず正面パネル７に向かう光は、遮光板５０により遮られる。
【００５９】
術者による手技が完了すると、点灯しなくなった第２のランプ４１ａがランプ取付部材１３の壁面に沿って上方にスライドさせながら抜取られ、新しいランプが、同様にランプ取付部材１３の壁面に沿って上方より取り付けられる。
【００６０】
次の手技の為に光源装置１の筐体に電力が供給されると、どの位置の位置検出素子３９ａまたは３９ｂがＯＮされているかを制御基板６６が検知し、その信号に対応したランプ４１ａまたは４１ｂを点灯させるよう電源６５に制御信号を出力する。これにより、電源６５は命令に基づき、光軸上にあるランプ（この場合は第２のランプ４１ｂ）のみに電力を供給し、第２のランプ４１ｂが点灯する。
【００６１】
一方、第１のランプ４１ａが断線し、第２のランプ４１ｂに切り替わっている最中に筐体の電源６５が切られ、再度電源６５が投入された場合、全ての位置検出素子３９がＯＦＦしている。この場合、制御基板６６はあらかじめ設定された優先順位の高いランプ、例えば第１のランプ４１ａが光軸にくるようにモータ２６を制御し、第１のランプ４１ａを点灯させる。
【００６２】
そこで、上記構成のものにあっては次の効果を奏する。すなわち、本実施の形態ではランプ取付部材１３の移動台１８を保持する２つの弾性部材１７ａ，１７ｂの一方が圧縮された状態で保持されているので、ランプ切替え機構９のボールネジ２９のバックラッシュ等のガタでランプ取付部材１３が正規の位置（ベース１１の位置決め部１４に突き当たった状態）からずれても、圧縮された一方の弾性部材１７ａまたは１７ｂの復元力により押し戻され、常に正規の位置に保持される。そのため、無駄なくランプ光を内視鏡２に照射することができる。
【００６３】
また，制御基板６６がモータ２６に停止信号を送っても慣性力によりモータ２６はしばらく動作しているが、その間の動作を移動台１８が弾性部材１７ａまたは１７ｂを圧縮させながら移動することで吸収しているので、モータ２６に過負荷をかけることがない。
【００６４】
さらに、ボールネジ２９に動力伝達部材３５が食い込んでいても、動作時に動力伝達部材３５の突起３４が移動台１８の突起部３６に高速で突き当たる衝撃で、食い込みを解除するができる。
【００６５】
また、ランプ取付部材１３が正規の位置にきたと同時、もしくはその後に位置検出素子３９がＯＮするように配置することにより、位置検出素子３９がＯＮしていれば、ランプ取付部材１３は確実に正規の位置にあるので、光源装置１の筐体に電源６５を投入する際に、ランプ取付部材１３を正規の位置に移動し直す動作を行わなずとも常に適切な光量が得られる。
【００６６】
さらに、ランプ取付部材１３にランプ反射鏡の突起部４３に対応した係合凹部４４を設けることにより、ランプ４１ａ，４１ｂを破損することなく容易に着脱することが可能である。
【００６７】
また、正面パネル７の内視鏡取付コネクター４８に対応する開口部に遮光板５０を組付けることにより、不要なランプ光が光源装置１の筐体の外に漏れることがない為、光源装置１の美観が損なわれることがない。
【００６８】
さらに、すべての位置検出素子３９ａ，３９ｂがＯＦＦしている場合でも、移動方向に優先順位を持たせることで不測の事態に対応することが可能である。なお、ランプ点灯切換回路を電源６５内に備え、制御基板６６に大電流が流れるものを排除することにより、制御基板６６上のノイズに敏感な回路への影響を最小限にすることができる。
【００６９】
また、図１４乃至図１７（Ａ），（Ｂ）は本発明の第２の実施の形態を示すものである。本実施の形態は第１の実施の形態（図１乃至図１３（Ａ）〜（Ｃ）参照）の光源装置１のランプ切替え機構９の構成を次の通り変更したものである。
【００７０】
すなわち、本実施の形態では、図１４において、このランプ切替え機構９の移動部はスライドレール１２と、ランプ取付部材１３と、移動台１８とで構成され、側面が略Ｚ字形状を成すベース１１にスライドレール１２を介してランプ取付部材１３が取り付けられている。
【００７１】
また、ベース１１にはランプ取付部材１３の移動方向と平行に端面を曲げ起こした２つの位置決め部１４ａ，１４ｂが形成されている。さらに、ランプ取付部材１３の底面には雄ネジ１５が上方に突出しており、雄ネジ１５に対応する個所に穴が設けられた移動台１８が締結されている。
【００７２】
このランプ切替え機構９の動力部は、２つの弾性部材１７ａ，１７ｂと、モータ取付部材２５と、モータ２６と、継手２８と、ボールネジ２９と、軸受け取付部材３０と、軸受け３１と、止め輪３２と、動力伝達部材３５とで構成され、略Ｌ字形状のモータ取付部材２５に締結されているモータ２６の軸２７は継手２８を介してボールネジ２９と連結されている。
【００７３】
また、ボールネジ２９の他端は、略コの字形状をした軸受け取付部材３０に圧入された軸受け３１に挿入されている。さらに、ボールネジ２９は軸受け３１を挟み込むような形で一方の弾性部材１７ａまたは１７ｂがある程度圧縮されて取り付けられており、弾性部材１７の端面部は止め輪３２で固定されている。
【００７４】
さらに、ボールネジ２９には、突起３４を持った動力伝達部材３５が螺合されている。また、移動台１８の内部空間には動力伝達部材３５の突起３４に対応する突起部３６が設けられていると同時に、側面は略Ｕ字状に切り欠かれており、動力部は、移動台１８の内部空間に動力伝達部材３５が入り込むように設置され、軸受け取付部材３０がベース１１と締結されている。さらに、本実施の形態ではベース１１上にモータスライド部材５４が固定されている。このモータスライド部材５４は断面形状が略Ｈ字形状に形成されている。
【００７５】
また、モータ取付部材２５の下面には、モータスライド部材５４の形状に対応したスリットが設けられており、モータスライド部材５４に移動可能に組付けられている。
【００７６】
さらに、移動台１８の下部は上矢視が踏台形形状部３８を有しており、それに対応したベース１１の位置に２つの位置検出素子３９ａ，３９ｂが締結されている。また、位置検出素子３９ａ，３９ｂはランプ取付部材１３の端面が、ベース１１の位置決め部１４ａ，１４ｂに突き当たる前にＯＮされる位置にあり、制御基板６６は一方の位置検出素子３９ａまたは３９ｂがＯＮしてもある一定時間はモータ２６を動作させる。
【００７７】
次に、上記構成の本実施の形態の作用について説明する。本実施の形態ではランプ切替え機構９が図１６（Ａ）の状態で、第１のランプ４１ａが光軸上にあり点灯している。この状態で第１のランプ４１ａが切れて点灯しなくなると、それを制御基板６６が検知し、ランプ取付部材１３が矢印Ａの方向に移動するようにモータ２６を制御基板６６が動作させる。
【００７８】
このとき、最初、ボールネジ２９と共に動力伝達部材３５だけが回転し、図１０（Ｂ）に示すように動力伝達部材３５の突起３４が移動台１８の突起部３６に高速で突き当たる。その後、モータ２６とボールネジ２９が、矢印Ｂの方向にスライドする。
【００７９】
この時、右側の第１の弾性部材１７ａは弾性エネルギーを放出し、左側の第２の弾性部材１７ｂは蓄積する方向にある。ここで、第２の弾性部材１７ｂの復元力が、ランプ取付部材１３を移動させるために必要な力より大きくなると、モータ２６とボールネジ２９のスライドは停止し、モータ２６の回転による動力は、移動台１８に伝達され、ランプ取付部材１３が矢印Ａの方向に移動を始める。
【００８０】
その後、図１６（Ｂ）に示すように移動台１８により第２の位置検出素子３９ｂがＯＮされる。この時、ランプ取付部材１３の左側の端面４０ｂはベース１１の第２の位置決め部１４ｂには突き当たっていない。また、制御基板６６ではこの信号を検知し、数ミリ秒後にモータ２６を停止させる。
【００８１】
また、モータ２６が停止するまでの間に、図１７（Ａ）に示すようにベース１１の第２の位置決め部１４ｂにランプ取付部材１３の左側の端面４０ｂが突き当たり、ランプ取付部材１３は移動を停止する。この時、第２のランプ４１ｂは光軸上にある。その後、矢印Ｂの方向にモータ２６およびボールネジ２９が第２の弾性部材１７ｂを圧縮しながら移動し、図１７（Ｂ）に示す位置でモータ２６が停止する。なお、弾性部材１７ｂ、１７ａは圧縮しきらい程度の自由長さを有している。
【００８２】
これら一連の動作が完了すると、電源６５は制御基板６６の命令に基づき、光軸上にあるランプ（この場合は第２のランプ４１ｂ）のみに電力を供給する。
【００８３】
そこで、上記構成のものにあっては次の効果を奏する。すなわち、移動方向に対して動力伝達部材３５の側面に偏った力が加わると、動力伝達部材３５がボールネジ２９に食い込み、動作しなくなる場合があるが、本実施の形態では移動台１８がランプ取付部材１３に直接締結されているので、移動台１８のガタつきがなく、常に動力伝達部材３５の側面に均等に力を加えるので、動力伝達部材３５がボールネジ２９に食い込むことにより動作しなくなることを回避することができる。
【００８４】
また、図１８乃至図２１は本発明の第３の実施の形態を示すものである。本実施の形態は第１の実施の形態（図１乃至図１３（Ａ）〜（Ｃ）参照）の光源装置１のランプ切替え機構９の構成を次の通り変更したものである。
【００８５】
すなわち、本実施の形態では、モータ取付部材２５には、移動台１８の台形形状部３８に相当する突出部５６が設けられており、２つの位置検出素子３９ａ，３９ｂがその近辺に取り付けられている。
【００８６】
次に、上記構成の本実施の形態の作用について説明する。図２０（Ｂ）に示すようにランプ取付部材１３の一方の端面４０ｂがベース１１の位置決め部１４ｂに突き当たると、第２の弾性部材１７ｂを圧縮しながらモータ２６およびボールネジ２９と共にモータ取付部材２５がスライドする。このとき、図２０（Ｃ）に示すように突出部５６により第２の位置検出素子３９ｂがＯＮされ、モータ２６の回転が制御基板６６により停止される。
【００８７】
そこで、上記構成のものにあっては次の効果を奏する。すなわち、本実施の形態ではランプ取付部材１３が正規の位置にきた後に位置検出素子３９ｂがＯＮされるので、位置検出素子３９ｂがＯＮしていれば、ランプ取付部材１３は確実に正規の位置にあることになる。そのため、光源装置１の筐体に電源６５を投入する際に、ランプ取付部材１３を正規の位置に移動し直すような動作を行わなずとも常に適切な光量が得られる。
【００８８】
また、図２１乃至図２４は本発明の第４の実施の形態を示すものである。本実施の形態は第１の実施の形態（図１乃至図１３（Ａ）〜（Ｃ）参照）の光源装置１のランプ切替え機構９の構成を次の通り変更したものである。
【００８９】
すなわち、本実施の形態では、略Ｕ字形状をしたモータ取付部材２５に締結されたモータ２６の軸２７に回転部材５７が固定されている。この回転部材５７は側面に突起５８ａ,５８ｂを有しており、またモータ２６の軸２７と同軸をなす円柱５９が設けられている。さらに、２つの板ばね状の弾性部材８１ａ，８１ｂが固定されている。
【００９０】
また、図２１に示すように略扇形状を有し、側面が曲げ起こされているランプ取付部材１３は、一端に回転部材５７の円柱５９の径より大きな穴６０が設けられており、円柱５９が通される。この時、２つの弾性部材８１ａ，８１ｂａは若干圧縮された状態でランプ取付部材１３の曲げ起こし部６１ａ，６１ｂに押し当てられている。
【００９１】
また、穴６０を中心に同一半径にある個所にランプソケット６４を介して複数のランプ４１ａ，４１ｂが設置されており、弾性体よりなるランプ固定部材４２により固定されている。
【００９２】
さらに、ベース(図示しない)には、位置決め部材６２ａ，６２ｂと、位置検出素子３９ａ,３９ｂと、押し当て部材６３と、モータ取付部材２５とが固定されており、位置決め部材６２ａ,６２ｂは、ランプ取付部材１３の曲げ起こし部６１ａ，６１ｂが突き当たった時に、ランプ４１ａ，４１ｂが光軸にくる位置にあり、位置検出素子３９ａ,３９ｂは回転部材５７の突起５８の軌跡上にあり、ランプ取付部材１３の曲げ起こし部６１ａ，６１ｂが位置決め部材６２ａ,６２ｂに突き当たる前には、回転部材５７の突起５８ａ，５８ｂによりＯＮされない位置に設けられている。また，押し当て部材６３の側面は略凹部形状を有しており、ランプ取付部材１３の端面が挿入されている。
【００９３】
次に、上記構成の作用について説明する。本実施の形態では図２３（Ａ）の状態にあるとき、第１のランプ４１ａが光軸上にあり点灯している。この状態でランプ４１ａが切れて点灯しなくなると、ランプ取付部材１３が矢印Ａの方向に移動するようにモータ２６が回転する。
【００９４】
最初、モータ２６の回転により回転部材５７だけが矢印Ａの方向に回転する。この時、第１の弾性部材８１ａは弾性エネルギーを放出し、第２の弾性部材８１ｂは蓄積する方向にある。第２の弾性部材８１ｂの復元力が、ランプ取付部材１３を移動させるのに必要な力より大きくなると、モータ２６の回転による動力は、第２の弾性部材８１ｂを経由してランプ取付部材１３に伝わり、回転部材５７の回転に連動してランプ取付部材１３が回転する。
【００９５】
そして、図２３（Ｂ）に示すように位置決め部材６２ｂにランプ取付部材１３の曲げ起こし部６１ｂが突き当たると、ランプ取付部材１３は回転を停止する。この時、第２のランプ４１ｂが光軸上にあり、また第２の位置検出素子３９ｂはＯＦＦの状態である。
【００９６】
その後、図２３（Ｃ）に示すように回転部材５７が第２の弾性部材８１ｂを圧縮しながら回転し続け、突起５８ｂにより第２の位置検出素子３９ｂがＯＮされると、モータ２６は停止する。これら一連の動作が完了すると、電源６５は制御基板６６の命令に基づき、光軸上にあるランプ(この場合は第２のランプ４１ｂ)のみに電力を供給する。
【００９７】
そこで、上記構成のものにあっては弾性部材８１ａ，８１ｂが圧縮された状態にあるので、輸送時の振動などでランプ取付部材１３が正規の位置(位置決め部材６２ａ，６２ｂにランプ取付部材１３の曲げ起こし部６１ａ，６１ｂが突き当たった状態)からずれても、弾性部材８１ａ，８１ｂの復元力により押し戻され、常に正規の位置に保持されるので、無駄なくランプ光を内視鏡２に照射することができる。また、図２４に示すように、一般的に回転機構の移動幅Ｌ１は直動機構の移動幅Ｌ２に比べて、移動幅が小さくてすむので、光源装置１の筐体の小型化が図れる。
【００９８】
さらに、本発明は上記実施の形態に限定されるものではなく、本発明の要旨を逸脱しない範囲で種々変形実施できることは勿論である。  
次に、本出願の他の特徴的な技術事項を下記の通り付記する。  
記  
（付記項１）  複数の光学部品と、前記光学部品を設置したアクチュエータを動力として移動可能な光学部品取付部材と、前記光学部品取付部材の位置を検出しアクチュエータを制動させる信号を発生する位置検出素子と、前記光学部品取付部材の停止位置を決定する位置決め部を備え、前記光学部品取付部材が自動もしくは半自動で、あらかじめ規定された位置へ移動可能な機構を有する光源装置において、前記光学部品取付部材が規定された位置にある時には、弾性エネルギーを蓄えているように弾性部材を配置し、前記光学部品取付部材の位置を保持する機能を備えたことを特徴とする光源装置。
【００９９】
（付記項２）  前記移動機構が、直動機構を成し、ボールネジと、それと螺合し前記光学部品取付部材に動力を伝達する動力伝達部材を備えた光源装置において、前記動力伝達部材と前記光学部品取付部材との間に、前記動力伝達部材に嵌挿され、前記光学部品取付部材とは独立して移動可能な部材と、弾性部材を前記部材と前記光学部品取付部材とに挟持されるように配置したことを特徴とする付記項１の光源装置。
【０１００】
（付記項３）  前記移動機構が、直動機構を成し、ボールネジと、それと螺合し前記光学部品取付部材に動力を伝達する動力伝達部材と、軸受けを備えた光源装置において、弾性部材が前記軸受けの両端を挟み、前記ボールネジの一端は前記軸受けに挿通して配置され、アクチュエータと前記ボールネジが連動して前記ボールネジの軸方向に移動可能に構成されたことを特徴とする付記項１の光源装置。
【０１０１】
（付記項４）  付記項３の光源装置において、アクチュエータがスライドするとその動作に連動して動作する部材が設けられ、前記部材によって、位置検出素子が操作される位置に前記位置検出素子を配置したことを特徴とする光源装置。
【０１０２】
（付記項５）  ボールネジと、それと螺合し前記光学部品取付部材に動力を伝達する動力伝達部材と、前記動力伝達部材に嵌挿される部材を有する直動機構において、前記動力伝達部材は回転方向に突起が設けられ、前記部材のそれに対応する個所に突起を設け、アクチュエータが始動直後に動力部材が前記ボールネジと共に回転し、前記部材の突起に衝突するようにしたことを特徴とする付記項２〜４の光源装置。
【０１０３】
（付記項６）  付記項１の光源装置において、アクチュエータに固定され回動可能な回転部材と、前記回転部材の回転方向に沿って取り付けられた弾性部材を有し、前記光学部品取付部材は前記弾性部材と内接するように配置されたことを特徴とする光源装置。
【０１０４】
（付記項７）  複数の光学部品と、前記光学部品を設置し、アクチュエータを動力として移動可能な光学部品取付部材と、前記光学部品取付部材の位置を検出しアクチュエータを制動する信号を発生する位置検出素子と、前記光学部品取付部材の停止位置を決定する位置決め部を備え、前記光学部品取付部材が自動もしくは半自動で、あらかじめ規定された位置へ移動可能な機構を有する光源装置において、前記光学部品取付部材が前記位置決め部に接触する前には位置検出素子がアクチュエータを制動する信号を発生しないような位置に前記位置検出素子を配置したことを特徴とする光源装置。
【０１０５】
（付記項８）  複数の光学部品と、前記光学部品を設置した光学部品取付部材が、アクチュエータを動力として自動もしくは半自動で移動可能な機構を有し、前記複数の光学部品のうち位置検出素子により認識された光学部品を使用する機能を備えた光源装置において、認識に失敗した場合は、あらかじめ定められた光学部品を使用するように動作することを特徴とした光源装置。
【０１０６】
（付記項９）  反射鏡と前記反射鏡の開口端面に突起部を有するランプを備え、前記ランプは光学部品取付部材の面に沿ってスライドさせながら着脱を行う構造を有する光源装置において、前記光学部品取付部材に前記ランプ突起部に対応した凹部を前記ランプの着脱方向に沿って設けたことを特徴とする光源装置。
【０１０７】
（付記項１０）  内視鏡が挿入される開口部を有した正面パネルと、前記正面パネルと締結され、内視鏡が接続可能なコネクタと対応する部分に開口が形成されている板金を有し、前記板金がシャーシに締結される構造を持つ光源装置において、前記正面パネルの開口部に遮光板を設けたことを特徴とする光源装置。
【０１０８】
（付記項１１）  複数のランプと、前記ランプに接続され、選択的に電力を供給する切替え回路と、電源と、低電力で動作する電気回路を備えた光源装置において、前記切替え回路は前記電源内に設けられ、前記電気回路が組まれた基板を介さずに前記ランプに接続されていることを特徴とする光源装置。
【０１０９】
（付記項１〜１１の従来技術）  医療分野において、体腔内に細長の挿入部を挿入することにより、体腔内の臓器を観察したり、必要に応じて処置具チャンネル内に挿入した処置具を用いて、各種治療や処置のできる内視鏡が広く用いられている。また、工業分野においても、ボイラー、タービン、エンジン、化学プラントなどの内部の傷や腐蝕を観察したり、検査することのできる工業用内視鏡が広く利用されている。そして、前記内視鏡を用いて検査・観察を行う際には、内視鏡の他に周辺装置として制御装置、光源装置、モニタなどが必要である。
【０１１０】
前記内視鏡は、照明光伝送手段としてファイババンドルからなるライトガイドを有し、このライトガイドに照明光を供給する光源装置に接続して用いられる。
【０１１１】
この光源装置は照明手段として、キセノンランプ、メタルハライドランプおよびハロゲンランプが用いられており、これらランプの光をレンズで集光し、また用途に応じたフィルターを介して前記内視鏡のライトガイドに供給するようになっている。ところで、ランプが使用中に切れてしまうと観察や処置を継続することが不可能となり、またレンズおよびフィルターは目的に応じて異なり、目的に応じたものでないと、十分な観察ができない。その為、従来の光源装置では、複数のランプやレンズを搭載し、自動あるいは半自動で切り替わる構造が一般的である。その機構は、
（１）実開昭６３−２６８３５および特開平３−２６７９０８にあるように、ボールネジによる直動で移動させ、マイクロスイッチの信号を検出してモータを停止させることで切り替えたり、
（２）特開平９−１０１７４および実公昭５３−１５３１７にあるように、回転板に複数のランプを搭載し、モータにより回転板を回転させることで切り替わるようになっていた。
【０１１２】
このようにランプやレンズを切り替えることで、観察や処置を継続することが可能であり、完了した後、例えば点灯しなくなったランプは交換することになる。メタルハライドランプやハロゲンランプには反射鏡と一体になったものが見られ、これらのランプの取付構造には、
（３）図２５にあるように、１組の弾性部材ｃでランプを押え込むようになっており、一動作でランプを取り付けることが可能である。
【０１１３】
ランプ交換後、再度観察や処置を行う為、筐体に電源を供給すると何れかのランプが点灯するが、従来技術では、
（４）第２６６５７４３号にあるように、前回使用していたランプを記憶部に覚えさせ、そのランプを点灯させるものや、
（５）マイクロスイッチなど位置検出素子の信号を読みとり、その信号に対応したランプを点灯させるようになっている。
【０１１４】
また、ランプ光の一部は前記内視鏡のライトガイドに入射されずに、前記正面パネルに投影される。その結果、前記光源装置正面パネルの内視鏡接続部周辺部が光り、美観が損なわれてしまう。この現象を回避する為の従来の技術としては、
（６）正面パネルの裏側を黒く塗装する方法がとられている。
【０１１５】
ところで、観察の途中で前記内視鏡の対物レンズに汚れが付着し、視界が確保できないことがある。前記光源装置には前記対物レンズの洗浄の為に、送気・送水用ポンプが搭載されており、前記光源装置の正面パネルに設けられたコントロールパネルを操作して、ＯＮ／ＯＦＦあるいは強弱が制御される。また、前記対物レンズと対象物との距離によって光量の過不足が起こるが、前記光源装置には絞り機構が設けられており、前記コントロールパネルを操作することで、光量を調整できるようにもなっている。このような操作を実現する為に、前記光源装置には電気回路が搭載されており、一般的には、
（７）前記ランプの点灯回路等、大電流を要するものとそうでないものが同じ基板上に構成されている。
【０１１６】
（付記項１〜１１が解決しようとする課題）  ・従来技術（１）の問題点は、ボールネジのバックラッシュによりランプが適正位置よりずれてしまい、また構造上マイクロスイッチは移動台が固定ブロックに突き当たる前にＯＮするので、実際にランプが適正位置にあるかどうか認識できず、十分な光量を内視鏡に供給できない場合があり、また移動部がボールネジとの螺合部でボールネジに食い込み、動作できない場合があることである。
【０１１７】
・従来技術（２）の問題点は、直流モータが保持機能を有しない為に、装置を移動する際の振動などにより、ランプが適正位置よりずれてしまい、適切な照明光を内視鏡に供給できない、またはステッピングモータを使用している為、高価になってしまうことである。
【０１１８】
・従来技術（３）の問題点は、ランプ反射鏡の開口部端面に設けてある突起が、ランプを取り付ける板金に干渉して割れないようにしながらランプを取り付ける必要がある為、取付動作が煩雑になってしまうことである。
【０１１９】
・従来技術（４）の問題点は、記憶部が記憶するのに失敗した場合、再び筐体に電源を供給してもランプを点灯することができないことである。
【０１２０】
・従来技術（５）の問題点は、切り替わる際、どのマイクロスイッチもＯＮされていない状態が存在し、その状態で筐体の電源を遮断し、再投入してもランプを点灯することができないことである。
【０１２１】
・従来技術（６）の問題点は、塗装の際、パネル正面およびネジ部等、塗装禁止部分をマスキングする必要があり、コスト高になることである。
【０１２２】
・従来技術（７）の問題点は、大電流を要する回路はノイズを発生しやすく、また電流をそれほど必要としない回路はノイズの影響を受けやすい。その両者が同じ基板上に存在する為に、ノイズ対策を施す必要があり、コスト高となることである。
【０１２３】
（付記項１〜３および付記項６の目的）ボールネジのガタや筐体移動時に振動が加わっても、位置ずれを起こさず、常に適正な位置に保持することである。
【０１２４】
（付記項４および付記項７の目的）ランプが確実に適正位置にあることを認識できるようにすることである。
【０１２５】
（付記項５の目的）ボールネジに食い込んでもそれを解除できることである。
【０１２６】
（付記項８の目的）切換動作において不測の事態がおきても、確実にランプを点灯させることである。
【０１２７】
（付記項９の目的）ランプ着脱の際、ランプ反射鏡の突起が干渉せず、容易にランプを着脱できることである。
【０１２８】
（付記項１０の目的）安価な構造で正面パネルヘの光の透過を防ぐことである。
【０１２９】
（付記項１１の目的）低コストでノイズによる影響を少なくすることである。
【０１３０】
（付記項１〜３および付記項６の作用）ランプやフィルター等を切り替える際、弾性部材を圧縮し、弾性エネルギーを蓄えることで、ガタや輸送時の振動による位置ずれを生じることがなく、常に規定位置に保持できることである。
【０１３１】
（付記項４および付記項７の作用）移動部が位置決め部に突き当たり、規定位置まで移動した後に、位置検出素子がＯＮされるように配置することで、位置検出素子がＯＮしていれば、移動部は確実に規定の位置にあることになり、筐体に電源を投入する際に、移動部の位置を再確認するような動作を行なう必要がなく、筐体起動時の制御が容易になることである。
【０１３２】
（付記項５の作用）動作する際、ボールネジと螺合する動力伝達部材が、移動台に回転方向から高速で突き当たることで、食い込みを解除することができることである。
【０１３３】
（付記項８の作用）使用するランプ等の部品に優先順位を持たせ、位置検出素子がＯＮされていない場合でも、あらかじめ定められた部品を使用するように切り替わることにより、不測の事態に対応できることである。
【０１３４】
（付記項９の作用）ランプを取り付ける部材に、ランプ反射鏡の突起部に対応した凹部を設けることにより、ランプを破損することなく容易に着脱できることである。
【０１３５】
（付記項１０の作用）正面パネルのスコープ取付コネクターに対応する開口部に遮光板を組付けることにより、安価な構造で不要なランプ光が筐体の外に漏れないようにできることである。
【０１３６】
（付記項１１の作用）ランプ点灯切換回路を電源内に備え、制御基板に大電流が流れるものを排除することにより、制御基板上のノイズに敏感な回路への影響を最小限に抑えることができることである。
【０１３７】
（付記項１の効果）  付記項１記載の構成によると、従来技術の有する、ガタおよび輸送時の振動に対してランプ位置を保持できない、あるいは保持機能を有するモータを使用することで高価になるという問題を、弾性エネルギーを蓄える構造にすることで解決することができ、常に規定位置に保持できる。またランプが規定位置に来た後のモータの余剰動作を移動台のみが移動することで吸収するので、モータに過負荷を与えないという特有の効果が得られる。
【０１３８】
（付記項７の効果）  付記項７記載の構成によると、従来技術の有する、ランプが適正な位置にあるかどうか認識できず、能力を十分に発揮できないという問題を、規定位置まで移動した後に、位置検出素子がＯＮされるように配置することで解決することができ、筐体に電源を投入する際に、移動部の位置を再調整するような動作を行なう必要がない。
【０１３９】
（付記項８の効果）  付記項８記載の構成にすると、使用するランプ等の部品に優先順位を持たせ、位置検出素子がＯＮされていない場合でも、あらかじめ定められた部品を使用するように切り替わることにより、不測の事態に対応することが可能である。
【０１４０】
（付記項９の効果）  付記項９記載の構成によると、従来技術の有する、ランプを取り付ける際、ランプ反射鏡の突起部がランプを取り付ける部材に干渉しないよう注意を要し、ランプの交換が煩雑であるという問題が、上記ランプ反射鏡の突起部に対応した凹部をランプが取り付けられる部材に設けることで解決され、ランプを破損することなく容易に着脱することができる。
【０１４１】
（付記項１０の効果）  付記項１０記載の構成にすると、安価な構造で不要なランプ光が筐体の外に漏れないようにすることができる。
【０１４２】
（付記項１１の効果）  付記項１１記載の構成にすると、低コストで制御基板上のノイズに敏感な回路への影響を最小限に抑えることができる。
【図面の簡単な説明】
【０１４３】
【図１】本発明の第１の実施の形態の光源装置を組み込んだ内視鏡システム全体の概略構成を示す斜視図。
【図２】第１の実施の形態の光源装置の内部構成を示す横断面図。
【図３】図２のＩＩＩ−ＩＩＩ線断面図。
【図４】第１の実施の形態の光源装置におけるランプ切替え機構の分解斜視図。
【図５】第１の実施の形態の光源装置における正面パネルの分解斜視図。
【図６】第１の実施の形態の光源装置の内部構成を示す後ろ斜視図。
【図７】第１の実施の形態の光源装置における光学系の横断面図。
【図８】第１の実施の形態の光源装置におけるランプケーブルの引き回しを示したランプ切替機構の後ろ斜視図。
【図９】第１の実施の形態の光源装置で用いられている反射鏡を有するランプの斜視図。
【図１０】第１の実施の形態の光源装置のランプ切替え機構における移動台を示すもので、（Ａ）は移動台の正面図、（Ｂ）は移動台の縦断面図。
【図１１】第１の実施の形態の光源装置におけるランプ交換扉を開けた状態を示す横断面図。
【図１２】第１の実施の形態の光源装置におけるランプとランプ交換扉と筐体カバーの位置関係を示す概略構成図。
【図１３】第１の実施の形態の光源装置におけるランプ切替え動作を示すもので、（Ａ）は第１のランプが光軸上にあり点灯している状態を示す概略構成図、（Ｂ）はベースの位置決め部にランプ取付部材の端面が突き当たった状態を示す概略構成図、（Ｃ）は位置検出素子が移動台の略台形部によりＯＮされた状態を示す概略構成図。
【図１４】本発明の第２の実施の形態の光源装置におけるランプ切替え機構の分解斜視図。
【図１５】第２の実施の形態の光源装置の内部構成を示す後ろ斜視図。
【図１６】第２の実施の形態の光源装置におけるランプ切替え動作を示すもので、（Ａ）は第１のランプが光軸上にあり点灯している状態を示す概略構成図、（Ｂ）は移動台により位置検出素子がＯＮされた状態を示す概略構成図。
【図１７】（Ａ）は第２の実施の形態の光源装置におけるベースの位置決め部にランプ取付部材の端面が突き当たり、ランプ取付部材が停止した状態を示す概略構成図、（Ｂ）は矢印Ｂの方向にモータおよびボールネジが弾性部材を圧縮しながら移動し、モータが停止した状態を示す概略構成図。
【図１８】本発明の第３の実施の形態の光源装置におけるランプ切替え機構の分解斜視図。
【図１９】第３の実施の形態の光源装置の内部構成を示す後ろ斜視図。
【図２０】第３の実施の形態の光源装置におけるランプ切替え動作を示すもので、（Ａ）はランプ取付部材の端面がベースの第１の位置決め部に突き当たる状態を示す概略構成図、（Ｂ）はランプ取付部材の端面がベースの第２の位置決め部に突き当たる状態を示す概略構成図、（Ｃ）は弾性部材を圧縮しながらモータおよびボールネジと共にモータ取付部材がスライドし、突出部により位置検出素子がＯＮされた状態を示す概略構成図。
【図２１】本発明の第４の実施の形態の光源装置におけるランプ切替え機構の分解斜視図。
【図２２】第４の実施の形態の光源装置におけるランプ切替え機構の組み付け状態を示す後ろ斜視図。
【図２３】第４の実施の形態の光源装置におけるランプ切替え動作を示すもので、（Ａ）は第１のランプが光軸上にあり点灯している状態を示す概略構成図、（Ｂ）は位置決め部材にランプ取付部材の曲げ起こし部が突き当たり、ランプ取付部材が回転を停止した状態を示す概略構成図、（Ｃ）は突起により位置検出素子がＯＮされ、モータが停止した状態を示す概略構成図。
【図２４】第４の実施の形態の光源装置における回転機構の移動幅と直動機構の移動幅とを比べた状態を説明するための説明図。
【図２５】従来の光源装置におけるランプをランプ保持部に取り付ける作業を説明するための要部の斜視図。
【符号の説明】
【０１４４】
１…光源装置、９…ランプ切替え機構（移動機構）、１３…ランプ取付部材（光学部品取付部材）、２６…モータ（アクチュエータ）、３９ａ，３９ｂ…位置検出素子、４１ａ…第１のランプ（光学部品）、４１ｂ…第２のランプ、６６…制御基板（制御手段）。
【図１】
2006289108.tif 000003
【図２】
2006289108.tif 000004
【図３】
2006289108.tif 000005
【図４】
2006289108.tif 000006
【図５】
2006289108.tif 000007
【図６】
2006289108.tif 000008
【図７】
2006289108.tif 000009
【図８】
2006289108.tif 000010
【図９】
2006289108.tif 000011
【図１０】
2006289108.tif 000012
【図１１】
2006289108.tif 000013
【図１２】
2006289108.tif 000014
【図１３】
2006289108.tif 000015
【図１４】
2006289108.tif 000016
【図１５】
2006289108.tif 000017
【図１６】
2006289108.tif 000018
【図１７】
2006289108.tif 000019
【図１８】
2006289108.tif 000020
【図１９】
2006289108.tif 000021
【図２０】
2006289108.tif 000022
【図２１】
2006289108.tif 000023
【図２２】
2006289108.tif 000024
【図２３】
2006289108.tif 000025
【図２４】
2006289108.tif 000026
【図２５】
2006289108.tif 000027